(57)【要約】【課題】負傷者の症状やトリアージの判定に関する情報の入力作業を効率化することを目的とする。【解決手段】携帯通信端末２００において、症状選択部２０４は、災害現場における負傷者の症状に係る選択肢を表示装置２５４へ出力して、医師、救急救命士などのトリアージの実施者に負傷者の症状の選択を促す。そして、トリアージの実施者による負傷者の症状の選択を入力装置２５３から受け付け、選択に係る症状を示す症状データを記憶装置２５１に記憶する。トリアージ区分決定部２０５は、症状選択部２０４により記憶された症状データを記憶装置２５１から読み取る。そして、症状データが示す症状に基づいて負傷者のトリアージ区分を処理装置２５２で決定し、負傷者のトリアージ区分を示す区分データを記憶装置２５１に記憶する。【選択図】図３
2008279032.tif 000002
【特許請求の範囲】
【請求項１】
傷病者の治療又は搬送の優先度を区分化したトリアージ区分を決定する情報入力端末装置であって、
傷病者の症状に係る選択肢を表示装置へ出力して利用者に傷病者の症状の選択を促し、利用者による傷病者の症状の選択を入力装置から受け付け、選択に係る症状を示す症状データを記憶装置に記憶する症状選択部と、
前記症状選択部により記憶された症状データを記憶装置から読み取り、症状データが示す症状に基づいて傷病者のトリアージ区分を処理装置で決定し、傷病者のトリアージ区分を示す区分データを記憶装置に記憶するトリアージ区分決定部と、
前記トリアージ区分決定部により記憶された区分データを記憶装置から読み取り、区分データが示すトリアージ区分を表示装置へ出力するトリアージ区分出力部とを備えることを特徴とする情報入力端末装置。
【請求項２】
前記情報入力端末装置は、さらに、
傷病者の属性に係る選択肢を表示装置へ出力して利用者に傷病者の属性の選択を促し、利用者による傷病者の属性の選択を入力装置から受け付け、選択に係る属性を示す属性データを記憶装置に記憶する属性選択部を備え、
前記トリアージ区分決定部は、前記属性選択部により記憶された属性データを記憶装置から読み取り、属性データが示す属性と症状データが示す症状とに基づいて傷病者のトリアージ区分を処理装置で決定することを特徴とする請求項１に記載の情報入力端末装置。
【請求項３】
前記属性選択部は、傷病者の属性に係る選択肢をタッチパネルである表示装置の１つの画面へ出力するとともに、利用者による傷病者の属性の選択を前記タッチパネルである入力装置の前記１つの画面から受け付け、
前記症状選択部は、傷病者の症状に係る選択肢を前記１つの画面へ出力し、利用者による傷病者の症状の選択を前記１つの画面から受け付けることを特徴とする請求項２に記載の情報入力端末装置。
【請求項４】
前記トリアージ区分決定部は、傷病者のトリアージ区分として、少なくともトリアージ区分に応じて規定された色を示す区分データを記憶装置に記憶し、
前記トリアージ区分出力部は、区分データが示す色を表示装置へ出力することを特徴とする請求項１から３までのいずれかに記載の情報入力端末装置。
【請求項５】
前記情報入力端末装置は、さらに、
傷病者の意識レベルをコード化した意識コードのリストを記憶装置に記憶する意識コード記憶部と、
前記意識コード記憶部により記憶された意識コードのリストを記憶装置から読み取り、意識コードのリストに基づいて傷病者の意識レベルに係る選択肢を表示装置へ出力して利用者に傷病者の意識レベルの選択を促し、利用者による傷病者の意識レベルの選択を入力装置から受け付け、選択に係る意識レベルに対応する意識コードを記憶装置に記憶する意識レベル選択部とを備え、
前記トリアージ区分出力部は、前記意識レベル選択部により記憶された意識コードを記憶装置から読み取り、区分データが示すトリアージ区分とともに意識コードを表示装置へ出力することを特徴とする請求項１から４までのいずれかに記載の情報入力端末装置。
【請求項６】
前記情報入力端末装置は、さらに、
傷病者の負傷部位ごとの症状をコード化した負傷コードのリストを記憶装置に記憶する負傷コード記憶部と、
人体図を表示装置へ出力して利用者に傷病者の負傷部位の指定を促し、利用者による傷病者の負傷部位の指定を入力装置から受け付け、指定に係る負傷部位を示す負傷部位データを記憶装置に記憶する負傷部位指定部と、
前記負傷コード記憶部により記憶された負傷コードのリストと前記負傷部位指定部により記憶された負傷部位データとを記憶装置から読み取り、負傷コードのリストに基づいて負傷部位データが示す負傷部位の症状に係る選択肢を表示装置へ出力して利用者に傷病者の負傷部位の症状の選択を促し、利用者による傷病者の負傷部位の症状の選択を入力装置から受け付け、選択に係る負傷部位の症状と負傷部位データが示す負傷部位との組み合わせに対応する負傷コードを記憶装置に記憶する負傷選択部とを備え、
前記トリアージ区分出力部は、前記負傷選択部により記憶された負傷コードを記憶装置から読み取り、区分データが示すトリアージ区分とともに負傷コードを表示装置へ出力することを特徴とする請求項１から５までのいずれかに記載の情報入力端末装置。
【請求項７】
前記情報入力端末装置は、さらに、
傷病者に貼付されたＩＣタグと通信し、傷病者を一意に識別する識別子を前記ＩＣタグから読み取って記憶装置に記憶する識別子読取部と、
複数の傷病者のトリアージ区分を一元管理するデータベースと通信し、前記識別子読取部により記憶された識別子と前記トリアージ区分決定部により記憶された区分データとを対応付けて前記データベースに登録するデータ登録部とを備えることを特徴とする請求項１から６までのいずれかに記載の情報入力端末装置。
【請求項８】
傷病者の治療又は搬送の優先度を区分化したトリアージ区分を決定する情報入力端末装置を用いた情報入力方法であって、
前記情報入力端末装置が、傷病者の症状に係る選択肢を表示装置へ出力して利用者に傷病者の症状の選択を促し、利用者による傷病者の症状の選択を入力装置から受け付け、選択に係る症状を示す症状データを記憶装置に記憶し、
前記情報入力端末装置が、症状データを記憶装置から読み取り、症状データが示す症状に基づいて傷病者のトリアージ区分を処理装置で決定し、傷病者のトリアージ区分を示す区分データを記憶装置に記憶し、
前記情報入力端末装置が、区分データを記憶装置から読み取り、区分データが示すトリアージ区分を表示装置へ出力することを特徴とする情報入力方法。
【請求項９】
傷病者の治療又は搬送の優先度を区分化したトリアージ区分を決定する情報入力プログラムであって、
傷病者の症状に係る選択肢を表示装置へ出力して利用者に傷病者の症状の選択を促し、利用者による傷病者の症状の選択を入力装置から受け付け、選択に係る症状を示す症状データを記憶装置に記憶する症状選択処理と、
前記症状選択処理により記憶された症状データを記憶装置から読み取り、症状データが示す症状に基づいて傷病者のトリアージ区分を処理装置で決定し、傷病者のトリアージ区分を示す区分データを記憶装置に記憶するトリアージ区分決定処理と、
前記トリアージ区分決定処理により記憶された区分データを記憶装置から読み取り、区分データが示すトリアージ区分を表示装置へ出力するトリアージ区分出力処理とをコンピュータに実行させることを特徴とする情報入力プログラム。
【請求項１０】
前記情報入力プログラムは、さらに、
傷病者の属性に係る選択肢を表示装置へ出力して利用者に傷病者の属性の選択を促し、利用者による傷病者の属性の選択を入力装置から受け付け、選択に係る属性を示す属性データを記憶装置に記憶する属性選択処理をコンピュータに実行させ、
前記トリアージ区分決定処理は、前記属性選択処理により記憶された属性データを記憶装置から読み取り、属性データが示す属性と症状データが示す症状とに基づいて傷病者のトリアージ区分を処理装置で決定することを特徴とする請求項９に記載の情報入力プログラム。
【請求項１１】
前記属性選択処理は、傷病者の属性に係る選択肢をタッチパネルである表示装置の１つの画面へ出力するとともに、利用者による傷病者の属性の選択を前記タッチパネルである入力装置の前記１つの画面から受け付け、
前記症状選択処理は、傷病者の症状に係る選択肢を前記１つの画面へ出力し、利用者による傷病者の症状の選択を前記１つの画面から受け付けることを特徴とする請求項１０に記載の情報入力プログラム。
【請求項１２】
前記トリアージ区分決定処理は、傷病者のトリアージ区分として、少なくともトリアージ区分に応じて規定された色を示す区分データを記憶装置に記憶し、
前記トリアージ区分出力処理は、区分データが示す色を表示装置へ出力することを特徴とする請求項９から１１までのいずれかに記載の情報入力プログラム。
【請求項１３】
前記情報入力プログラムは、さらに、
傷病者の意識レベルをコード化した意識コードのリストを記憶装置に記憶する意識コード記憶処理と、
前記意識コード記憶処理により記憶された意識コードのリストを記憶装置から読み取り、意識コードのリストに基づいて傷病者の意識レベルに係る選択肢を表示装置へ出力して利用者に傷病者の意識レベルの選択を促し、利用者による傷病者の意識レベルの選択を入力装置から受け付け、選択に係る意識レベルに対応する意識コードを記憶装置に記憶する意識レベル選択処理とをコンピュータに実行させ、
前記トリアージ区分出力処理は、前記意識レベル選択処理により記憶された意識コードを記憶装置から読み取り、区分データが示すトリアージ区分とともに意識コードを表示装置へ出力することを特徴とする請求項９から１２までのいずれかに記載の情報入力プログラム。
【請求項１４】
前記情報入力プログラムは、さらに、
傷病者の負傷処理位ごとの症状をコード化した負傷コードのリストを記憶装置に記憶する負傷コード記憶処理と、
人体図を表示装置へ出力して利用者に傷病者の負傷部位の指定を促し、利用者による傷病者の負傷部位の指定を入力装置から受け付け、指定に係る負傷部位を示す負傷部位データを記憶装置に記憶する負傷部位指定処理と、
前記負傷コード記憶処理により記憶された負傷コードのリストと前記負傷部位指定処理により記憶された負傷部位データとを記憶装置から読み取り、負傷コードのリストに基づいて負傷部位データが示す負傷部位の症状に係る選択肢を表示装置へ出力して利用者に傷病者の負傷部位の症状の選択を促し、利用者による傷病者の負傷部位の症状の選択を入力装置から受け付け、選択に係る負傷部位の症状と負傷部位データが示す負傷部位との組み合わせに対応する負傷コードを記憶装置に記憶する負傷選択処理とをコンピュータに実行させ、
前記トリアージ区分出力処理は、前記負傷選択処理により記憶された負傷コードを記憶装置から読み取り、区分データが示すトリアージ区分とともに負傷コードを表示装置へ出力することを特徴とする請求項９から１３までのいずれかに記載の情報入力プログラム。
【請求項１５】
前記情報入力プログラムは、さらに、
傷病者に貼付されたＩＣタグと通信し、傷病者を一意に識別する識別子を前記ＩＣタグから読み取って記憶装置に記憶する識別子読取処理と、
複数の傷病者のトリアージ区分を一元管理するデータベースと通信し、前記識別子読取処理により記憶された識別子と前記トリアージ区分決定処理により記憶された区分データとを対応付けて前記データベースに登録するデータ登録処理とをコンピュータに実行させることを特徴とする請求項９から１４までのいずれかに記載の情報入力プログラム。
【発明の詳細な説明】
【技術分野】
【０００１】
本発明は、情報入力端末装置及び情報入力方法及び情報入力プログラムに関するものである。本発明は、特に、災害救護情報を入力するための情報入力端末装置及び情報入力方法及び情報入力プログラムに関するものである。
【背景技術】
【０００２】
従来、災害・救急医療において負傷者の症状をカルテやトリアージタッグに記述する場合、医師、救急救命士などは手書きにより負傷者の症状を記録するか、ノート型ＰＣ（パーソナルコンピュータ）もしくはＰＤＡ（登録商標）（Ｐｅｒｓｏｎａｌ・Ｄｉｇｉｔａｌ・Ａｓｓｉｓｔａｎｔ）などで負傷者の症状を入力していた。また、災害・救急医療においてトリアージ、即ち、負傷者の救護に関する優先順序付けを行う場合、その判定は医師らの判断に任されていた（例えば、特許文献１参照）。
【特許文献１】特開２００７−８６８５５号公報
【発明の開示】
【発明が解決しようとする課題】
【０００３】
従来の方法では、負傷者の症状をカルテやトリアージタッグに記述する場合、（１）一刻を争う緊急事態において、症状の記述に時間がかかりすぎる、（２）症状の記述表現が統一されていないため、負傷者の治療担当部門に正確な症状の伝達ができない、（３）症状の記述がまちまちであるため、事後に必要となる災害などの分析評価において、統計的な集計処理が困難である、といった課題があった。また、トリアージを行う場合、判定の基準が曖昧であったり、個人差があったり、後で判定について問題となることがある、といった課題があった。
【０００４】
本発明は、例えば、負傷者の症状やトリアージの判定に関する情報の入力作業を効率化することを目的とする。
【課題を解決するための手段】
【０００５】
本発明の一の態様に係る情報入力端末装置は、
傷病者の治療又は搬送の優先度を区分化したトリアージ区分を決定する情報入力端末装置であって、
傷病者の症状に係る選択肢を表示装置へ出力して利用者に傷病者の症状の選択を促し、利用者による傷病者の症状の選択を入力装置から受け付け、選択に係る症状を示す症状データを記憶装置に記憶する症状選択部と、
前記症状選択部により記憶された症状データを記憶装置から読み取り、症状データが示す症状に基づいて傷病者のトリアージ区分を処理装置で決定し、傷病者のトリアージ区分を示す区分データを記憶装置に記憶するトリアージ区分決定部と、
前記トリアージ区分決定部により記憶された区分データを記憶装置から読み取り、区分データが示すトリアージ区分を表示装置へ出力するトリアージ区分出力部とを備えることを特徴とする。
【０００６】
前記情報入力端末装置は、さらに、
傷病者の属性に係る選択肢を表示装置へ出力して利用者に傷病者の属性の選択を促し、利用者による傷病者の属性の選択を入力装置から受け付け、選択に係る属性を示す属性データを記憶装置に記憶する属性選択部を備え、
前記トリアージ区分決定部は、前記属性選択部により記憶された属性データを記憶装置から読み取り、属性データが示す属性と症状データが示す症状とに基づいて傷病者のトリアージ区分を処理装置で決定することを特徴とする。
【０００７】
前記属性選択部は、傷病者の属性に係る選択肢をタッチパネルである表示装置の１つの画面へ出力するとともに、利用者による傷病者の属性の選択を前記タッチパネルである入力装置の前記１つの画面から受け付け、
前記症状選択部は、傷病者の症状に係る選択肢を前記１つの画面へ出力し、利用者による傷病者の症状の選択を前記１つの画面から受け付けることを特徴とする。
【０００８】
前記トリアージ区分決定部は、傷病者のトリアージ区分として、少なくともトリアージ区分に応じて規定された色を示す区分データを記憶装置に記憶し、
前記トリアージ区分出力部は、区分データが示す色を表示装置へ出力することを特徴とする。
【０００９】
前記情報入力端末装置は、さらに、
傷病者の意識レベルをコード化した意識コードのリストを記憶装置に記憶する意識コード記憶部と、
前記意識コード記憶部により記憶された意識コードのリストを記憶装置から読み取り、意識コードのリストに基づいて傷病者の意識レベルに係る選択肢を表示装置へ出力して利用者に傷病者の意識レベルの選択を促し、利用者による傷病者の意識レベルの選択を入力装置から受け付け、選択に係る意識レベルに対応する意識コードを記憶装置に記憶する意識レベル選択部とを備え、
前記トリアージ区分出力部は、前記意識レベル選択部により記憶された意識コードを記憶装置から読み取り、区分データが示すトリアージ区分とともに意識コードを表示装置へ出力することを特徴とする。
【００１０】
前記情報入力端末装置は、さらに、
傷病者の負傷部位ごとの症状をコード化した負傷コードのリストを記憶装置に記憶する負傷コード記憶部と、
人体図を表示装置へ出力して利用者に傷病者の負傷部位の指定を促し、利用者による傷病者の負傷部位の指定を入力装置から受け付け、指定に係る負傷部位を示す負傷部位データを記憶装置に記憶する負傷部位指定部と、
前記負傷コード記憶部により記憶された負傷コードのリストと前記負傷部位指定部により記憶された負傷部位データとを記憶装置から読み取り、負傷コードのリストに基づいて負傷部位データが示す負傷部位の症状に係る選択肢を表示装置へ出力して利用者に傷病者の負傷部位の症状の選択を促し、利用者による傷病者の負傷部位の症状の選択を入力装置から受け付け、選択に係る負傷部位の症状と負傷部位データが示す負傷部位との組み合わせに対応する負傷コードを記憶装置に記憶する負傷選択部とを備え、
前記トリアージ区分出力部は、前記負傷選択部により記憶された負傷コードを記憶装置から読み取り、区分データが示すトリアージ区分とともに負傷コードを表示装置へ出力することを特徴とする。
【００１１】
前記情報入力端末装置は、さらに、
傷病者に貼付されたＩＣタグと通信し、傷病者を一意に識別する識別子を前記ＩＣタグから読み取って記憶装置に記憶する識別子読取部と、
複数の傷病者のトリアージ区分を一元管理するデータベースと通信し、前記識別子読取部により記憶された識別子と前記トリアージ区分決定部により記憶された区分データとを対応付けて前記データベースに登録するデータ登録部とを備えることを特徴とする。
【００１２】
本発明の一の態様に係る情報入力方法は、
傷病者の治療又は搬送の優先度を区分化したトリアージ区分を決定する情報入力端末装置を用いた情報入力方法であって、
前記情報入力端末装置が、傷病者の症状に係る選択肢を表示装置へ出力して利用者に傷病者の症状の選択を促し、利用者による傷病者の症状の選択を入力装置から受け付け、選択に係る症状を示す症状データを記憶装置に記憶し、
前記情報入力端末装置が、症状データを記憶装置から読み取り、症状データが示す症状に基づいて傷病者のトリアージ区分を処理装置で決定し、傷病者のトリアージ区分を示す区分データを記憶装置に記憶し、
前記情報入力端末装置が、区分データを記憶装置から読み取り、区分データが示すトリアージ区分を表示装置へ出力することを特徴とする。
【００１３】
本発明の一の態様に係る情報入力プログラムは、
傷病者の治療又は搬送の優先度を区分化したトリアージ区分を決定する情報入力プログラムであって、
傷病者の症状に係る選択肢を表示装置へ出力して利用者に傷病者の症状の選択を促し、利用者による傷病者の症状の選択を入力装置から受け付け、選択に係る症状を示す症状データを記憶装置に記憶する症状選択処理と、
前記症状選択処理により記憶された症状データを記憶装置から読み取り、症状データが示す症状に基づいて傷病者のトリアージ区分を処理装置で決定し、傷病者のトリアージ区分を示す区分データを記憶装置に記憶するトリアージ区分決定処理と、
前記トリアージ区分決定処理により記憶された区分データを記憶装置から読み取り、区分データが示すトリアージ区分を表示装置へ出力するトリアージ区分出力処理とをコンピュータに実行させることを特徴とする。
【００１４】
前記情報入力プログラムは、さらに、
傷病者の属性に係る選択肢を表示装置へ出力して利用者に傷病者の属性の選択を促し、利用者による傷病者の属性の選択を入力装置から受け付け、選択に係る属性を示す属性データを記憶装置に記憶する属性選択処理をコンピュータに実行させ、
前記トリアージ区分決定処理は、前記属性選択処理により記憶された属性データを記憶装置から読み取り、属性データが示す属性と症状データが示す症状とに基づいて傷病者のトリアージ区分を処理装置で決定することを特徴とする。
【００１５】
前記属性選択処理は、傷病者の属性に係る選択肢をタッチパネルである表示装置の１つの画面へ出力するとともに、利用者による傷病者の属性の選択を前記タッチパネルである入力装置の前記１つの画面から受け付け、
前記症状選択処理は、傷病者の症状に係る選択肢を前記１つの画面へ出力し、利用者による傷病者の症状の選択を前記１つの画面から受け付けることを特徴とする。
【００１６】
前記トリアージ区分決定処理は、傷病者のトリアージ区分として、少なくともトリアージ区分に応じて規定された色を示す区分データを記憶装置に記憶し、
前記トリアージ区分出力処理は、区分データが示す色を表示装置へ出力することを特徴とする。
【００１７】
前記情報入力プログラムは、さらに、
傷病者の意識レベルをコード化した意識コードのリストを記憶装置に記憶する意識コード記憶処理と、
前記意識コード記憶処理により記憶された意識コードのリストを記憶装置から読み取り、意識コードのリストに基づいて傷病者の意識レベルに係る選択肢を表示装置へ出力して利用者に傷病者の意識レベルの選択を促し、利用者による傷病者の意識レベルの選択を入力装置から受け付け、選択に係る意識レベルに対応する意識コードを記憶装置に記憶する意識レベル選択処理とをコンピュータに実行させ、
前記トリアージ区分出力処理は、前記意識レベル選択処理により記憶された意識コードを記憶装置から読み取り、区分データが示すトリアージ区分とともに意識コードを表示装置へ出力することを特徴とする。
【００１８】
前記情報入力プログラムは、さらに、
傷病者の負傷処理位ごとの症状をコード化した負傷コードのリストを記憶装置に記憶する負傷コード記憶処理と、
人体図を表示装置へ出力して利用者に傷病者の負傷部位の指定を促し、利用者による傷病者の負傷部位の指定を入力装置から受け付け、指定に係る負傷部位を示す負傷部位データを記憶装置に記憶する負傷部位指定処理と、
前記負傷コード記憶処理により記憶された負傷コードのリストと前記負傷部位指定処理により記憶された負傷部位データとを記憶装置から読み取り、負傷コードのリストに基づいて負傷部位データが示す負傷部位の症状に係る選択肢を表示装置へ出力して利用者に傷病者の負傷部位の症状の選択を促し、利用者による傷病者の負傷部位の症状の選択を入力装置から受け付け、選択に係る負傷部位の症状と負傷部位データが示す負傷部位との組み合わせに対応する負傷コードを記憶装置に記憶する負傷選択処理とをコンピュータに実行させ、
前記トリアージ区分出力処理は、前記負傷選択処理により記憶された負傷コードを記憶装置から読み取り、区分データが示すトリアージ区分とともに負傷コードを表示装置へ出力することを特徴とする。
【００１９】
前記情報入力プログラムは、さらに、
傷病者に貼付されたＩＣタグと通信し、傷病者を一意に識別する識別子を前記ＩＣタグから読み取って記憶装置に記憶する識別子読取処理と、
複数の傷病者のトリアージ区分を一元管理するデータベースと通信し、前記識別子読取処理により記憶された識別子と前記トリアージ区分決定処理により記憶された区分データとを対応付けて前記データベースに登録するデータ登録処理とをコンピュータに実行させることを特徴とする。
【発明の効果】
【００２０】
本発明の一の態様によれば、情報入力端末装置において、症状選択部が、傷病者の症状に係る選択肢を表示装置へ出力して利用者に傷病者の症状の選択を促し、利用者による傷病者の症状の選択を入力装置から受け付け、選択に係る症状を示す症状データを記憶装置に記憶し、トリアージ区分決定部が、前記症状選択部により記憶された症状データを記憶装置から読み取り、症状データが示す症状に基づいて傷病者のトリアージ区分を処理装置で決定し、傷病者のトリアージ区分を示す区分データを記憶装置に記憶することにより、傷病者（負傷者）の症状やトリアージ区分（トリアージの判定）に関する情報の入力作業を効率化することが可能となる。
【発明を実施するための最良の形態】
【００２１】
以下、本発明の実施の形態について、図を用いて説明する。
【００２２】
実施の形態１．
図１は、本実施の形態に係る災害救護支援システム１００の構成を示す概念図である。
【００２３】
図１において、災害救護支援システム１００は、携帯通信端末２００、トリアージタッグ３００、衛星４００、災害医療救護本部用サーバ５００、ポータブル端末６００、衛星通信設備７００を備える。
【００２４】
地震などの大規模災害発生時には、災害現場や災害現場付近の救護所１０１において負傷者の救護活動が行われる。災害救護活動では、重傷者を効率よく迅速に医療機関に収容し一人でも多くの負傷者の命を救うことが求められる。負傷者の情報が電子的に管理されていない場合は、災害医療救護本部１０２で負傷者や救護組織の状況を正確に把握することは不可能である。そこで、災害救護支援システム１００では、地上の通信インフラが破壊されるような大規模な災害が発生しても運用することが可能な衛星４００を利用して、携帯通信端末２００と災害医療救護本部用サーバ５００の間で衛星通信を行う。これにより、全体的な負傷者の状況把握が可能となり、各組織での円滑な救護活動が可能になる。負傷者の情報は、災害救護活動で実施されるトリアージから得られるが、災害救護支援システム１００では、この情報の管理を効率よく行うため、トリアージの際にＩＣタグ３０１（ＲＦＩＤ）が貼り付けられたトリアージタッグ３００を使用する。
【００２５】
トリアージとは、災害発生時など多数の負傷者が同時に発生した場合、負傷者の緊急度や重症度に応じて適切な処置や搬送を行うために負傷者の治療優先順位を決定することをいう。災害医療の目標は、「負傷者の最大多数に対して、最良の結果を生み出す」ことである。つまり、日常の医療行為とは大きく異なり、助け得る負傷者を一人でも失わないようにすることが目標である。この作業を行うための最初のプロセスをトリアージという。具体的には、トリアージは、（１）負傷者の緊急度や重症度を評価（識別区分を決定）し、（２）この識別区分をトリアージタッグ３００により第三者に伝達し、（３）搬送や処置において識別区分を順守する、といった手順で行われる。
【００２６】
トリアージで使用されるトリアージタッグ３００の一例を図２に示す。
【００２７】
トリアージタッグ３００の表面には、負傷者を一意に識別するためのＩＤ（識別子）が記述されるほか、負傷者の属性として、氏名、年齢、性別、住所、電話番号などの個人情報が記述される。また、トリアージの実施日時、トリアージの実施者の氏名、負傷者を搬送した搬送機関の名称、負傷者を収容した医療機関の名称、トリアージの実施場所、トリアージを実施した医療機関の名称、トリアージの実施者の資格（医師、救急救命士、その他のいずれか）、負傷者の傷病名、トリアージ区分（識別区分）などが記述される。トリアージタッグ３００の表面は、災害現場用、搬送機関用、収容先の医療機関用の３枚綴りになっており、いずれにも上記の情報が記述される。トリアージタッグ３００の裏面には、負傷者の負傷部位、各負傷部位の症状の説明などが記述される。
【００２８】
トリアージタッグ３００の下端は、トリアージ区分数に応じて色分けされており、それぞれの色の境界にはミシン目がついている。トリアージ区分が決定した場合、該当する色の下の部分を破り取ることで、トリアージ区分が視覚的にわかりやすくなる。トリアージ区分は、以下の４つに分類される。
（１）「死亡」（死亡群）：既に死亡している者、あるいは、明らかに即死状態であり、心肺蘇生を施しても蘇生可能性のない者が該当する。対応する色は「黒」、対応する記号は「０」である。
（２）「緊急」（最優先治療群又は重症群）：生命を救うため、直ちに処置を必要とする者が該当する。例えば、窒息、多量の出血、ショック症状のある者が該当する。対応する色は「赤」、対応する記号は「Ｉ」である。
（３）「準緊急」（待機的治療群又は中等症群）：多少治療の時間が遅れても、生命に危険がない者、あるいは、基本的には、バイタルサインが安定している者が該当する。対応する色は「黄」、対応する記号は「ＩＩ」である。
（４）「非緊急」（保留群又は軽傷群）：軽易な傷病で、ほとんど専門医の治療を必要としない者が該当する。対応する色は「緑」、対応する記号は「ＩＩＩ」である。
【００２９】
トリアージタッグ３００には、ＩＣタグ３０１が貼付されている。このＩＣタグ３０１は、例えば２キロバイト程度の記憶領域を有し、トリアージタッグ３００の表面及び裏面に記述される情報を電子的に記録する。
【００３０】
図１において、携帯通信端末２００は、傷病者の治療又は搬送の優先度を区分化したトリアージ区分を決定する情報入力端末装置の一例である。ここでは、傷病者とは、特に災害などで大勢が負傷した場合や特定の地域で大勢が伝染病に感染した場合の負傷者や病人のことをいう。前述したように、本実施の形態では、前者、即ち、災害時の負傷者を想定している。
【００３１】
災害現場の近くで臨時に設営される救護所１０１、救急車１０３や救急ヘリ１０４などの搬送機関、近隣災害拠点病院１０５や遠隔災害拠点病院１０６などの医療機関において、医師、救急救命士などは、携帯通信端末２００を利用してトリアージを行う。このとき、携帯通信端末２００は、災害救護情報の入力を受け付けたり、災害救護情報をＩＣタグ３０１から読み取ったり、自動的に生成したりする。また、災害救護情報を記憶したり、画面に出力したり、ＩＣタグ４０１に書き込んだり、衛星４００を介して災害医療救護本部用サーバ５００に送信したりする。ここで、災害救護情報とは、主に、トリアージタッグ３００の表面及び裏面に記述される情報のことをいう。災害救護情報には、このほか、負傷者に施された応急処置の内容、負傷者の搬送状況、負傷者の収容状況などに関する情報が含まれていてもよい。
【００３２】
災害救護情報を災害医療救護本部用サーバ５００に送信する際に、携帯通信端末２００は衛星４００と直接通信を行ってもよいし、衛星通信機能及びそれ以外の比較的安価な無線通信機能を搭載したポータブル端末６００を介して衛星４００と通信を行ってもよい。後者の場合、携帯通信端末２００は高価な衛星通信機能を搭載する必要がなくなる。例えば、携帯通信端末２００が無線ＬＡＮ（ローカルエリアネットワーク）の通信機能を搭載している場合、携帯通信端末２００は、災害救護情報を無線ＬＡＮ経由でポータブル端末６００に送信する。そして、ポータブル端末６００は、この災害救護情報を衛星４００に送信する。衛星４００は、この災害救護情報を中継して、災害医療救護本部１０２に設置された衛星通信設備７００に送信する。災害医療救護本部用サーバ５００は、衛星通信設備７００を介して災害救護情報を受信する。
【００３３】
災害医療救護本部用サーバ５００は、災害医療救護本部１０２に設置されるサーバコンピュータであり、複数の携帯通信端末２００から衛星４００（又は移動通信網やインターネットなどのネットワーク）経由で送信される災害救護情報を収集し、救護データベース５０１に登録して管理する。救護データベース５０１は、複数の負傷者のトリアージ区分を一元管理するデータベースの一例である。災害医療救護本部用サーバ５００は、この救護データベース５０１で管理している災害救護情報を、救護所１０１、搬送機関、医療機関などの救護組織に衛星４００やインターネット経由で提供する。これにより、災害医療救護本部１０２にて、各組織による災害救護活動を効率的に支援することが可能となる。ここで、災害医療救護本部１０２とは、大規模災害などが発生した場合に、市町村に設置され負傷者や救護組織の全体状況を把握し、救護活動を指揮する組織、又は、その組織が設置された場所のことをいう。
【００３４】
図３は、携帯通信端末２００の構成を示すブロック図である。
【００３５】
図３において、携帯通信端末２００は、意識コード記憶部２０１、識別子読取部２０２、属性選択部２０３、症状選択部２０４、トリアージ区分決定部２０５、トリアージ区分出力部２０６、意識レベル選択部２０７、データ登録部２０８を備える。各部の動作については、後述する。
【００３６】
携帯通信端末２００は、記憶装置２５１、処理装置２５２、入力装置２５３、表示装置２５４などのハードウェア装置を備える。ハードウェア装置は携帯通信端末２００の各部によって利用される。例えば、処理装置２５２は、携帯通信端末２００の各部でデータや情報の演算、加工、読み取り、書き込みなどを行うために利用される。記憶装置２５１は、そのデータや情報を記憶するために利用される。また、入力装置２５３は、そのデータや情報を入力するために、表示装置２５４は、そのデータや情報を画面に出力するために利用される。
【００３７】
図４は、携帯通信端末２００のハードウェア資源の一例を示す図である。
【００３８】
図４において、携帯通信端末２００は、ＬＣＤ（液晶ディスプレイ）の画面を有するタッチパネル９０１、マイク９０２、スピーカ９０３、メモリカードスロット９０４などのハードウェア資源を備え、これらは信号線で接続されている。
【００３９】
携帯通信端末２００は、プログラムを実行するＣＰＵ９１１（Ｃｅｎｔｒａｌ・Ｐｒｏｃｅｓｓｉｎｇ・Ｕｎｉｔ）（「演算装置」、「マイクロプロセッサ」、「マイクロコンピュータ」、「プロセッサ」ともいう）を備えている。ＣＰＵ９１１は、処理装置２５２の一例である。ＣＰＵ９１１は、バス９１２を介してＲＯＭ９１３（Ｒｅａｄ・Ｏｎｌｙ・Ｍｅｍｏｒｙ）、ＲＡＭ９１４（Ｒａｎｄｏｍ・Ａｃｃｅｓｓ・Ｍｅｍｏｒｙ）、通信モジュール９０５、タグリーダ／ライタモジュール９０６、タッチパネル９０１、マイク９０２、スピーカ９０３、メモリカードスロット９０４、フラッシュメモリ９２０と接続され、これらのハードウェアデバイスを制御する。フラッシュメモリ９２０の代わりに、磁気ディスク装置などの記憶媒体が用いられてもよい。
【００４０】
ＲＡＭ９１４は、揮発性メモリの一例である。ＲＯＭ９１３、メモリカードスロット９０４に挿入されるメモリカード、フラッシュメモリ９２０は、不揮発性メモリの一例である。これらは、記憶装置２５１の一例である。タッチパネル９０１、マイク９０２、通信モジュール９０５、タグリーダ／ライタモジュール９０６などは、入力装置２５３の一例である。また、タッチパネル９０１などは、表示装置２５４の一例である。また、タッチパネル９０１、スピーカ９０３、通信モジュール９０５、タグリーダ／ライタモジュール９０６などは、出力装置の一例である。携帯通信端末２００は、入力装置２５３として、カメラ、キーボード、マウスなどを備えていてもよい。また、出力装置として、プリンタなどを備えていてもよい。
【００４１】
通信モジュール９０５は、衛星４００と通信可能な衛星通信機能を備えている。通信モジュール９０５は、衛星通信機能に限らず、無線ＬＡＮ、移動通信網を利用可能な通信機能を備えていても構わない。また、タグリーダ／ライタモジュール９０６は、ＩＣタグ３０１と通信してＩＣタグ３０１からデータを読み取ったり、ＩＣタグ３０１にデータを書き込んだりするためのリーダ／ライタ機能を備えている。
【００４２】
フラッシュメモリ９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。プログラム群９２３には、本実施の形態の説明において「〜部」として説明する機能を実行するプログラムが記憶されている。プログラムは、ＣＰＵ９１１により読み出され実行される。また、ファイル群９２４には、本実施の形態の説明において、「〜データ」、「〜情報」、「〜ＩＤ（識別子）」、「〜フラグ」、「〜結果」として説明するデータや情報や信号値や変数値やパラメータが、「〜ファイル」や「〜データベース」や「〜テーブル」の各項目として記憶されている。「〜ファイル」や「〜データベース」や「〜テーブル」は、ディスクやメモリなどの記憶媒体に記憶される。ディスクやメモリなどの記憶媒体に記憶されたデータや情報や信号値や変数値やパラメータは、読み書き回路を介してＣＰＵ９１１によりメインメモリやキャッシュメモリに読み出され、抽出・検索・参照・比較・演算・計算・制御・出力・印刷・表示などのＣＰＵ９１１の処理（動作）に用いられる。抽出・検索・参照・比較・演算・計算・制御・出力・印刷・表示などのＣＰＵ９１１の処理中、データや情報や信号値や変数値やパラメータは、メインメモリやキャッシュメモリやバッファメモリに一時的に記憶される。
【００４３】
また、本実施の形態の説明において用いるブロック図やフローチャートの矢印の部分は主としてデータや信号の入出力を示し、データや信号は、ＲＡＭ９１４などのメモリ、メモリカードスロット９０４に挿入されるメモリカード、フラッシュメモリ９２０などの記録媒体に記録される。また、データや信号は、バス９１２や信号線やケーブルその他の伝送媒体（無線通信手段を含む）により伝送される。
【００４４】
また、本実施の形態の説明において「〜部」として説明するものは、「〜回路」、「〜装置」、「〜機器」であってもよく、また、「〜ステップ」、「〜工程」、「〜手順」、「〜処理」であってもよい。即ち、「〜部」として説明するものは、ＲＯＭ９１３に記憶されたファームウェアで実現されていても構わない。あるいは、ソフトウェアのみ、あるいは、素子・デバイス・基板・配線などのハードウェアのみ、あるいは、ソフトウェアとハードウェアとの組み合わせ、さらには、ファームウェアとの組み合わせで実現されていても構わない。ファームウェアとソフトウェアは、プログラムとして、フラッシュメモリ９２０、磁気ディスク、メモリカードなどの記録媒体に記憶される。このプログラムはＣＰＵ９１１により読み出され、ＣＰＵ９１１により実行される。即ち、プログラムは、本実施の形態の説明で述べる「〜部」としてコンピュータを機能させるものである。あるいは、本実施の形態の説明で述べる「〜部」の手順や方法をコンピュータに実行させるものである。
【００４５】
以下では、説明をより具体的にするため、携帯通信端末２００が図４に例示したハードウェア資源により実現されているものとする。
【００４６】
図５は、本実施の形態に係る情報入力方法を示すフローチャートである。
【００４７】
図５のフローチャートに示したフローは、携帯通信端末２００のＣＰＵ９１１（処理装置２５２の一例）にて実行されるプログラム（情報入力プログラム）の処理手順に相当する。この処理手順において、情報入力プログラムは、以下で説明するステップＳ１０１〜Ｓ１０９の各処理をコンピュータである携帯通信端末２００に実行させる。
【００４８】
医師、救急救命士などのトリアージの実施者が携帯通信端末２００を利用する前（例えば、情報入力プログラムのインストール時や初期設定時）に、携帯通信端末２００の意識コード記憶部２０１は、ＪＣＳ（Ｊａｐａｎ・Ｃｏｍａ・Ｓｃａｌｅ）コードのリストをフラッシュメモリ９２０（記憶装置２５１の一例）に記憶する（ステップＳ１０１：意識コード記憶処理）。ＪＣＳコードは、負傷者の意識レベルをコード化した意識コードの一例である。ＪＣＳコードは、ＪＣＳスコアとも呼ばれ、以下のように分類される。
３．刺激しても覚醒しない（ｄｅｅｐ・ｃｏｍａ、ｃｏｍａ、ｓｅｍｉｃｏｍａ）。
３００＝全く動かない。
２００＝手足を少し動かしたり顔をしかめたりする（除脳硬直を含む）。
１００＝はらいのける動作をする。
２．刺激すると覚醒する（ｓｔｕｐｏｒ、ｌｅｔｈａｒｇｙ、ｈｙｐｅｒｓｏｍｎｉａ、ｓｏｍｎｏｌｅｎｃｅ、ｄｒｏｗｓｉｎｅｓｓ）。
３０＝痛み刺激で辛うじて開眼する。
２０＝大きな声、または体をゆさぶることにより開眼する。
１０＝呼びかけで容易に開眼する。
１．覚醒している（ｃｏｎｆｕｓｉｏｎ、ｓｅｎｓｅｌｅｓｓｎｅｓｓ、ｄｅｌｉｒｉｕｍ）。
３＝名前、生年月日がいえない。
２＝見当識障害あり。
１＝だいたい意識清明だが、今ひとつはっきりしない。
【００４９】
ＪＣＳコードには、付加情報として、「Ｒ」（＝不穏）、「Ｉ」（＝糞尿失禁）、「Ａ」（＝自発性喪失）が付される場合がある。ＪＣＳコードは、例えば、「２００」、「１０−ＲＩ」、「３−Ａ」などと表される。意識コードとして、ＪＣＳコードの代わりに、ＧＣＳ（Ｇｌａｓｇｏｗ・Ｃｏｍａ・Ｓｃａｌｅ）スコアなどを用いてもよい。
【００５０】
トリアージの実施者は、上記のようにＪＣＳコードのリストが予め記憶された携帯通信端末２００を各自で携帯する。そして、災害現場、救護所１０１、医療機関において、携帯通信端末２００を利用して負傷者全員に対しトリアージを実施する。このとき、トリアージの実施者は、携帯通信端末２００のタッチパネル９０１（入力装置２５３及び表示装置２５４の一例）へ出力される画面を操作して災害救護情報を入力する。以下で説明するように、本実施の形態では、トリアージの実施者が携帯通信端末２００の画面上に表示されるボタンなどを指でタップする操作だけで災害救護情報を入力することが可能なため、この携帯通信端末２００を利用することで迅速にトリアージを実施することができる。特に、災害現場や救護所１０１にて実施される１次トリアージでは、トリアージの判定及び判定結果の記述作業を迅速に行うことが要求されるため、このような携帯通信端末２００が有用となる。
【００５１】
携帯通信端末２００の画面遷移の一例を図６に示す。
【００５２】
携帯通信端末２００のタッチパネル９０１へ出力される画面には、以下に示すものがある。
（１）ログイン画面８０１：トリアージの実施者が携帯通信端末２００の利用を開始する際に、ログイン操作を行う画面である。
（２）メニュー画面８０２：携帯通信端末２００の機能を選択する画面である。
（３）トリアージ入力画面８０３：トリアージの判定に係るトリアージ情報を入力する画面である。
（４）ＪＣＳ入力画面８０４：ＪＣＳコードを入力する画面である。
（５）トリアージ確認画面８０５：トリアージ情報やＪＣＳコードの入力内容を確認する画面である。
（６）終了画面８０６：携帯通信端末２００の操作を終了する画面である。
【００５３】
上記以外に、負傷者の個人情報、負傷者の発見場所、負傷者の写真、負傷者に施された応急処置の内容、負傷者の搬送先（例えば、収容先の医療機関の名称）、負傷者の搬送記録（例えば、搬送機関の名称）、トリアージの実施者に関する情報（例えば、氏名、所属、資格、トリアージの実施場所）などを入力する画面、及び、それらの入力内容を確認する画面があってもよい。
【００５４】
トリアージの実施者が携帯通信端末２００の電源を入れる（又は情報入力プログラムを起動する）と、携帯通信端末２００は、タッチパネル９０１へログイン画面８０１を出力する。ログイン画面８０１には、例えば、パスワードとして４桁の数字を入力するためのテキストフィールド、そのテキストフィールドに入力する数字を０〜９から選択するための１０個のボタンなどが表示される。携帯通信端末２００は、トリアージの実施者によるパスワードの入力をタッチパネル９０１から受け付け、そのパスワードと予め設定された正規のパスワードとを比較してトリアージの実施者の認証を行う。認証が成功すると、携帯通信端末２００は、タッチパネル９０１へメニュー画面８０２を出力する。
【００５５】
初期状態のメニュー画面８０２には、例えば、「ＩＣタグを読み込んでください」というメッセージが表示される。メニュー画面８０２には、終了画面８０６に進むためのボタンも表示される。また、メニュー画面８０２には、トリアージ入力画面８０３などに進むためのボタンも表示されるが、初期状態ではグレーアウトされており、操作できないものとする。
【００５６】
メニュー画面８０２にて、トリアージの実施者が終了画面８０６に進むためのボタンをタップした場合、携帯通信端末２００は、タッチパネル９０１へ終了画面８０６を出力する。終了画面８０６には、例えば、携帯通信端末２００の電源を切る（又は情報入力プログラムを終了する）ためのボタンが表示される。トリアージの実施者がこのボタンをタップした場合、携帯通信端末２００の電源が切れる（又は情報入力プログラムが終了する）。
【００５７】
一方、初期状態のメニュー画面８０２に表示されるメッセージに従って、トリアージの実施者が、負傷者に貼付されたＩＣタグ３０１（より正確にいえば、負傷者に取り付けられたトリアージタッグ３００に貼付されたＩＣタグ３０１）に携帯通信端末２００を近づけると、携帯通信端末２００の識別子読取部２０２は、タグリーダ／ライタモジュール９０６を用いてＩＣタグ３０１と通信し、負傷者のＩＤをＩＣタグ３０１から読み取る。そして、識別子読取部２０２は、読み取った負傷者のＩＤをフラッシュメモリ９２０に記憶する（ステップＳ１０２：識別子読取処理）。その後、トリアージ入力画面８０３に進むためのボタンは、グレーアウトが解除され、操作可能となる。
【００５８】
メニュー画面８０２にて、トリアージの実施者がトリアージ入力画面８０３に進むためのボタンをタップした場合、携帯通信端末２００は、タッチパネル９０１へトリアージ入力画面８０３を出力する。
【００５９】
トリアージ入力画面８０３の一例を図７に示す。
【００６０】
トリアージ入力画面８０３には、携帯通信端末２００の識別子読取部２０２により記憶された負傷者のＩＤのほか、予め設定されたトリアージの実施者の氏名や資格、トリアージの実施場所が表示される。また、携帯通信端末２００の属性選択部２０３は、負傷者の属性（負傷者の属性とは、具体的には、例えば負傷者の年齢や性別、あるいは、以下で例示するように負傷者が小児か成人か、負傷者が妊婦か否か、といったことをいうものとする）に係る選択肢をトリアージ入力画面８０３へ出力して、トリアージの実施者に負傷者の属性の選択を促す。この例では、属性選択部２０３は、負傷者の属性として、負傷者が小児（８歳未満）か成人（８歳以上）かを選択させるための２つの「成人小児」ボタン８１０ａをトリアージ入力画面８０３に表示する。また、携帯通信端末２００の症状選択部２０４は、負傷者の症状に係る選択肢をトリアージ入力画面８０３へ出力して、トリアージの実施者に負傷者の症状の選択を促す。この例では、症状選択部２０４は、負傷者の症状として、負傷者が歩行可能かどうかを選択させるための２つの「歩行可否」ボタン８１０ｂ、負傷者の呼吸の状態を選択させるための３つの「呼吸数」ボタン８１０ｃ、負傷者の脈の状態を選択させるための３つの「脈拍」ボタン８１０ｄ、負傷者の爪を５秒間圧迫した後再度爪の充血が見られるまでの時間を選択させるための２つの「爪充血時間」ボタン８１０ｅをトリアージ入力画面８０３に表示する。上記いずれのボタン８１０ａ〜ｅも、選択肢ごとに複数設けられており、そのうちのいずれか１つがタップされると反転表示になる。これにより、どの選択肢が選択されたかが視覚的にわかりやすくなる。
【００６１】
図７に示した例では、トリアージの判定方式として、Ｌｏｕ・Ｒｏｍｉｇ医師が考案した“Ｃｏｍｂｉｎｅｄ・ＳＴＡＲＴ／ＪｕｍｐＳＴＡＲＴ・Ｔｒｉａｇｅ・Ａｌｇｏｒｉｔｈｍ”を想定している。この方式は、ＳＴＡＲＴ（Ｓｉｍｐｌｅ・Ｔｒｉａｇｅ・Ａｎｄ・Ｒａｐｉｄ・Ｔｒｅａｔｍｅｎｔ）を改良したものであり、負傷者が小児か成人かによって判定基準を異にするという特徴をもつ。この方式をより忠実に実施するため、トリアージ入力画面８０３にて、「成人小児」ボタン８１０ａで負傷者が「８歳未満」であると選択された場合は「呼吸数」ボタン８１０ｃが小児用のボタン８１０ｆに変更される。また、「成人小児」ボタン８１０ａで負傷者が「８歳以上」であると選択された場合は「脈拍」ボタン８１０ｄがグレーアウトされて操作できない状態になる。
【００６２】
携帯通信端末２００の属性選択部２０３は、トリアージの実施者による負傷者の属性の選択をトリアージ入力画面８０３から受け付け、選択に係る属性を示す属性データをフラッシュメモリ９２０に記憶する（ステップＳ１０３：属性選択処理）。図７に示した例では、属性選択部２０３は、負傷者が小児か成人かを示す（例えば、トリアージの実施者が２つの「成人小児」ボタン８１０ａのうち、どちらを選択したかを１ビットのフラグで表す）属性データを記憶する。また、携帯通信端末２００の症状選択部２０４は、トリアージの実施者による負傷者の症状の選択をトリアージ入力画面８０３から受け付け、選択に係る症状を示す症状データをフラッシュメモリ９２０に記憶する（ステップＳ１０４：症状選択処理）。図７に示した例では、症状選択部２０４は、負傷者が歩行可能かどうかを示す（例えば、トリアージの実施者が２つの「歩行可否」ボタン８１０ｂのうち、どちらを選択したかを１ビットのフラグで表す）症状データを記憶する。また、症状選択部２０４は、負傷者の呼吸数を示す（例えば、トリアージの実施者が３つの「呼吸数」ボタン８１０ｃ／ｆのうち、どれを選択したかを２ビットの変数で表す）症状データを記憶する（同様に、「脈拍」ボタン８１０ｄ、「爪充血時間」ボタン８１０ｅについても、トリアージの実施者がどのボタンを選択したかを表す症状データを記憶する）。
【００６３】
携帯通信端末２００のトリアージ区分決定部２０５は、属性選択部２０３により記憶された属性データと症状選択部２０４により記憶された症状データとをフラッシュメモリ９２０から読み取る。そして、トリアージ区分決定部２０５は、読み取った属性データが示す属性と症状データが示す症状とに基づいて、負傷者のトリアージ区分をＣＰＵ９１１で決定する。
【００６４】
図７に示した例では、トリアージ区分決定部２０５は、前述したトリアージの判定方式（説明の簡単化のため、一部変更している）に則って、以下の手順で負傷者のトリアージ区分を決定する。
（１）トリアージ区分決定部２０５は、症状データを参照して負傷者が歩行可能かどうかを確認する。
（２）上記（１）で負傷者が歩行可能である場合、トリアージ区分決定部２０５は、トリアージ区分を「非緊急」（対応する色は「緑」、対応する記号は「ＩＩＩ」）に決定する。
（３）上記（１）で負傷者が歩行可能でない場合、トリアージ区分決定部２０５は、症状データを参照して負傷者の呼吸の有無を確認する。
（４）上記（３）で負傷者の呼吸がない場合、トリアージ区分決定部２０５は、属性データを参照して負傷者が小児か成人かを確認する。
（５）上記（４）で負傷者が成人である場合、トリアージ区分決定部２０５は、トリアージ区分を「死亡」（対応する色は「黒」、対応する記号は「０」）に決定する。
（６）上記（４）で負傷者が小児である場合、トリアージ区分決定部２０５は、症状データを参照して負傷者の脈の有無を確認する。
（７）上記（６）で負傷者の脈がない場合、トリアージ区分決定部２０５は、トリアージ区分を「死亡」（対応する色は「黒」、対応する記号は「０」）に決定する。
（８）上記（６）で負傷者の脈がある場合、トリアージ区分決定部２０５は、トリアージ区分を「緊急」（対応する色は「赤」、対応する記号は「Ｉ」）に決定する。
（９）上記（３）で負傷者の呼吸がある場合、トリアージ区分決定部２０５は、属性データを参照して負傷者が小児か成人かを確認するとともに、症状データを参照して負傷者の呼吸数を確認する。
（１０）上記（９）で負傷者が成人であって負傷者の呼吸数が３０未満である場合、又は、負傷者が小児であって負傷者の呼吸数が１５未満あるいは４５超である場合、トリアージ区分を「緊急」（対応する色は「赤」、対応する記号は「Ｉ」）に決定する。
（１１）上記（９）で負傷者が成人であって負傷者の呼吸数が３０以上である場合、又は、負傷者が小児であって負傷者の呼吸数が１５以上かつ４５以下である場合、トリアージ区分決定部２０５は、属性データを参照して負傷者が小児か成人かを確認するとともに、症状データを参照して負傷者の脈の状態及び爪充血時間を確認する。
（１２）上記（１１）で負傷者が成人であって負傷者の爪充血時間が２秒以上である場合、又は、負傷者が小児であって負傷者の脈が不鮮明である場合、トリアージ区分を「緊急」（対応する色は「赤」、対応する記号は「Ｉ」）に決定する。
（１３）上記（１１）で負傷者が成人であって負傷者の爪充血時間が２秒未満である場合、又は、負傷者が小児であって負傷者の脈が鮮明である場合、トリアージ区分を「準緊急」（対応する色は「黄」、対応する記号は「ＩＩ」）に決定する。
【００６５】
携帯通信端末２００のトリアージ区分決定部２０５は、上記のような手順で決定した負傷者のトリアージ区分を示す区分データをフラッシュメモリ９２０に記憶する（ステップＳ１０５：トリアージ区分決定処理）。このとき、トリアージ区分決定部２０５は、負傷者のトリアージ区分として、トリアージ区分に応じて規定された色８１１及び記号８１２を示す区分データをフラッシュメモリ９２０に記憶する。
【００６６】
携帯通信端末２００のトリアージ区分出力部２０６は、トリアージ区分決定部２０５により記憶された区分データをフラッシュメモリ９２０から読み取る。そして、トリアージ区分出力部２０６は、読み取った区分データが示すトリアージ区分をトリアージ入力画面８０３へ出力する（ステップＳ１０６：トリアージ区分出力処理）。このとき、トリアージ区分出力部２０６は、区分データが示す色８１１及び記号８１２をトリアージ入力画面８０３へ出力する。
【００６７】
トリアージの実施者はトリアージ入力画面８０３に表示されたボタン８１０ａ〜ｆの選択を自由に変更することができ、その度に携帯通信端末２００はステップＳ１０３〜Ｓ１０６の処理を実行してトリアージ入力画面８０３の表示内容を更新する。
【００６８】
トリアージ入力画面８０３には、上記のボタン８１０ａ〜ｆ以外にも、ＪＣＳ入力画面８０４に進むための「ＪＣＳ」ボタン８１０ｇ、ＪＣＳコードを直接入力するためのプルダウン形式の選択ボックス８１３ａ、ＪＣＳコードの付加情報を直接入力するためのプルダウン形式の選択ボックス８１３ｂ、メニュー画面８０２に戻るための「キャンセル」ボタン８１０ｈ、トリアージ確認画面８０５に進むための「確認」ボタン８１０ｉが表示される。トリアージの実施者がＪＣＳを熟知している場合には、上記２つの選択ボックス８１３ａ，ｂを用いてＪＣＳコード及び付加情報を選択することができる。
【００６９】
トリアージ入力画面８０３にて、トリアージの実施者が「ＪＣＳ」ボタン８１０ｇをタップした場合、携帯通信端末２００は、タッチパネル９０１へＪＣＳ入力画面８０４を出力する。
【００７０】
ＪＣＳ入力画面８０４の一例を図８に示す。
【００７１】
携帯通信端末２００の意識レベル選択部２０７は、意識コード記憶部２０１により記憶された意識コードのリストをフラッシュメモリ９２０から読み取る。そして、意識レベル選択部２０７は、読み取った意識コードのリストに基づいて、負傷者の意識レベルに係る選択肢をＪＣＳ入力画面８０４へ出力して、トリアージの実施者に負傷者の意識レベルの選択を促す。この例では、意識レベル選択部２０７は、負傷者の意識レベルとして、ＪＣＳの「３．刺激しても覚醒しない」、「２．刺激すると覚醒する」、「１．覚醒している」のいずれかを選択させるためのボタン８１０ｊ〜ｌ、ＪＣＳコードの付加情報を選択させるための３つのボタン８１０ｍをＪＣＳ入力画面８０４に表示する。トリアージの実施者が「３．刺激しても覚醒しない」のボタン８１０ｊをタップすると、意識レベル選択部２０７は、ＪＣＳコードの「３００」、「２００」、「１００」のいずれかを選択させるための３つのボタン８１０ｎを、各ＪＣＳコードの説明とともにＪＣＳ入力画面８０４に表示する。また、トリアージの実施者が「２．刺激すると覚醒する」のボタン８１０ｋをタップすると、意識レベル選択部２０７は、ＪＣＳコードの「３０」、「２０」、「１０」のいずれかを選択させるための３つのボタン８１０ｏを、各ＪＣＳコードの説明とともにＪＣＳ入力画面８０４に表示する。トリアージの実施者が「１．覚醒している」のボタン８１０ｌをタップすると、意識レベル選択部２０７は、ＪＣＳコードの「３」、「２」、「１」のいずれかを選択させるための３つのボタン８１０ｐを、各ＪＣＳコードの説明とともにＪＣＳ入力画面８０４に表示する。
【００７２】
携帯通信端末２００の意識レベル選択部２０７は、トリアージの実施者による負傷者の意識レベルの選択をＪＣＳ入力画面８０４から受け付け、選択に係る意識レベルに対応するＪＣＳコードをフラッシュメモリ９２０に記憶する（ステップＳ１０７：意識レベル選択処理）。図８に示した例では、意識レベル選択部２０７は、トリアージの実施者がＪＣＳコードのボタン８１０ｎ／ｏ／ｐとともに表示される説明を参照して選択したボタンに対応するＪＣＳコードを記憶する。具体的には、意識レベル選択部２０７は、トリアージの実施者がタップしたボタンに応じて、「３００」、「２００」、「１００」、「３０」、「２０」、「１０」、「３」、「２」、「１」のいずれかをフラッシュメモリ９２０に記憶する。意識レベル選択部２０７は、ボタン８１０ｎ〜ｐがタップされる度に、選択されたＪＣＳコードを表示フィールド８１４に自動的に表示してもよい。
【００７３】
ＪＣＳ入力画面８０４には、トリアージ入力画面８０３に戻るための「入力」ボタン８１０ｑも表示される。ＪＣＳ入力画面８０４にて、ＪＣＳコードの選択が完了していない場合は「入力」ボタン８１０ｑがグレーアウトされて操作できない状態になるものとする。
【００７４】
ＪＣＳ入力画面８０４にて、ＪＣＳコードの選択が完了し、トリアージの実施者が「入力」ボタン８１０ｑをタップした場合、携帯通信端末２００は、タッチパネル９０１へトリアージ入力画面８０３を出力する。
【００７５】
携帯通信端末２００のトリアージ区分出力部２０６は、意識レベル選択部２０７により記憶されたＪＣＳコードをフラッシュメモリ９２０から読み取る。そして、トリアージ区分出力部２０６は、ステップＳ１０６で読み取った区分データが示すトリアージ区分とともに、新たに読み取ったＪＣＳコードをトリアージ入力画面８０３へ出力する（ステップＳ１０８：トリアージ区分出力処理）。
【００７６】
トリアージ入力画面８０３にて、トリアージの実施者が「確認」ボタン８１０ｉをタップした場合、携帯通信端末２００は、タッチパネル９０１へトリアージ確認画面８０５を出力する。
【００７７】
トリアージ確認画面８０５の一例を図９に示す。
【００７８】
携帯通信端末２００のトリアージ区分出力部２０６は、トリアージ入力画面８０３に表示したものと同様の内容をトリアージ確認画面８０５に表示する。具体的には、トリアージ区分出力部２０６は、携帯通信端末２００の識別子読取部２０２により記憶された負傷者のＩＤ、予め設定されたトリアージの実施者の氏名や資格、トリアージの実施場所、トリアージ区分決定部２０５により記憶された区分データが示す負傷者のトリアージ区分（色及び記号）、属性選択部２０３により記憶された属性データが示す負傷者の属性、症状選択部２０４により記憶された症状データが示す負傷者の症状、意識レベル選択部２０７により記憶された負傷者のＪＣＳコードをトリアージ確認画面８０５に表示する。このとき、災害救護情報の一部を構成する区分データ、属性データ、症状データ、ＪＣＳコードは、いずれも該当する負傷者のＩＤに対応付けてフラッシュメモリ９２０に記憶されているため、トリアージ区分出力部２０６は、これらのデータを、負傷者のＩＤをキーとしてフラッシュメモリ９２０から抽出する。また、トリアージ区分出力部２０６は、トリアージの実施日時として、現在時刻あるいはトリアージの実施者がトリアージ入力画面８０３で入力操作を行った時刻をトリアージ確認画面８０５に表示する。
【００７９】
トリアージ確認画面８０５には、トリアージ入力画面８０３などで入力された災害救護情報を災害医療救護本部１０２に送信したり、ＩＣタグ３０１に書き込んだりするための「記録・送信」ボタン８１０ｒ、トリアージ入力画面８０３に戻るための「戻る」ボタン８１０ｓも表示される。
【００８０】
トリアージ確認画面８０５にて、トリアージの実施者が「記録・送信」ボタン８１０ｒをタップした場合、携帯通信端末２００のデータ登録部２０８は、通信モジュール９０５を用いて、救護データベース５０１（より正確にいえば、救護データベース５０１のデータベースサーバとして機能する災害医療救護本部用サーバ５００）と衛星４００を介して通信し、識別子読取部２０２により記憶された負傷者のＩＤと同じ負傷者に係る災害救護情報のデータとを対応付けて救護データベース５０１に登録する（ステップＳ１０９：データ登録処理）。また、データ登録部２０８は、タグリーダ／ライタモジュール９０６を用いてＩＣタグ３０１と通信し、災害救護情報のデータをＩＣタグ３０１に書き込む。このとき、ＩＣタグ３０１に災害救護情報のデータが既に記録されていた場合、データ登録部２０８は、そのデータを新しいデータで更新する。前述したように、災害救護情報のデータは、トリアージ区分決定部２０５により記憶された区分データ、意識レベル選択部２０７により記憶されたＪＣＳコードなどを含むものである。
【００８１】
ステップＳ１０９の後、携帯通信端末２００は、タッチパネル９０１へ初期状態のメニュー画面８０２を出力する。負傷者全員に対するトリアージの実施が完了していない場合、トリアージの実施者は、上記と同様に、携帯通信端末２００を利用して次の負傷者に対しトリアージを実施する。このように負傷者に対してトリアージが実施される度に、携帯通信端末２００は、ステップＳ１０２〜Ｓ１０９の処理を実行する。
【００８２】
以上のように、本実施の形態では、携帯通信端末２００の症状選択部２０４が、負傷者の症状に係る選択肢をトリアージ入力画面８０３へ出力して、トリアージの実施者に負傷者の症状の選択を促し、トリアージの実施者による負傷者の症状の選択をトリアージ入力画面８０３から受け付けることにより、災害現場や救護所１０１における１次トリアージなどの一刻を争う緊急事態においても、負傷者の症状などの災害救護情報を短時間で入力することが可能となる。
【００８３】
また、本実施の形態では、携帯通信端末２００の属性選択部２０３が、負傷者の属性に係る選択肢を、負傷者の症状に係る選択肢と同じトリアージ入力画面８０３へ出力して、トリアージの実施者に負傷者の属性の選択を促し、トリアージの実施者による負傷者の属性の選択を、負傷者の症状の選択と同じトリアージ入力画面８０３から受け付けることにより、適切なトリアージを実施するために必要な災害救護情報を短時間で入力することが可能となる。
【００８４】
また、本実施の形態では、携帯通信端末２００のトリアージ区分決定部２０５が、属性選択部２０３により記憶された属性データが示す属性と症状選択部２０４により記憶された症状データが示す症状とに基づいて、負傷者のトリアージ区分をＣＰＵ９１１で自動的に決定することにより、トリアージの判定の基準が曖昧でなくなり、判定に個人差が出る可能性が低くなる。
【００８５】
また、本実施の形態では、携帯通信端末２００の意識レベル選択部２０７が、意識コード記憶部２０１により記憶された意識コードのリストに基づいて、負傷者の意識レベルに係る選択肢をＪＣＳ入力画面８０４へ出力して、トリアージの実施者に負傷者の意識レベルの選択を促し、トリアージの実施者による負傷者の意識レベルの選択をＪＣＳ入力画面８０４から受け付けることにより、トリアージの実施後にトリアージの判定結果についての妥当性を検討する場合、ＪＣＳコードを参照できるため、妥当性の判断が容易になる。
【００８６】
また、本実施の形態では、携帯通信端末２００のデータ登録部２０８が、救護データベース５０１と通信し、識別子読取部２０２により記憶された負傷者のＩＤと同じ負傷者に係る災害救護情報のデータとを対応付けて救護データベース５０１に登録することにより、災害医療救護本部１０２にて、災害救護情報のデータの集計処理や重症度や緊急度に応じた負傷者の検索処理などを行うことが可能となる。
【００８７】
また、本実施の形態では、携帯通信端末２００のデータ登録部２０８が、タグリーダ／ライタモジュール９０６を用いて、負傷者に貼付されたＩＣタグ３０１と通信し、災害救護情報のデータをＩＣタグ３０１に書き込むことにより、搬送機関や医療機関にて、携帯通信端末２００を利用してＩＣタグ３０１から災害救護情報のデータを読み取ることができ、読み取ったデータに基づいて負傷者に対する応急処置や治療の方針を適切に判断することが可能となる。
【００８８】
実施の形態２．
本実施の形態について、主に実施の形態１との差異を説明する。
【００８９】
図１０は、携帯通信端末２００の構成を示すブロック図である。
【００９０】
図１０において、携帯通信端末２００は、実施の形態１で図３に示したもののほか、負傷コード記憶部２０９、負傷部位指定部２１０、負傷選択部２１１を備える。各部の動作については、後述する。
【００９１】
図１１は、本実施の形態に係る情報入力方法を示すフローチャートである。
【００９２】
図１１のフローチャートに示したフローは、本実施の形態に係る情報入力プログラムの処理手順に相当する。この処理手順において、情報入力プログラムは、実施の形態１で図５に示したステップＳ１０１〜Ｓ１０９のほか、以下で説明するステップＳ２０１〜Ｓ２０４の各処理をコンピュータである携帯通信端末２００に実行させる。
【００９３】
トリアージの実施者が携帯通信端末２００を利用する前に、携帯通信端末２００の意識コード記憶部２０１は、実施の形態１と同様に、ＪＣＳコードのリストをフラッシュメモリ９２０に記憶する（ステップＳ１０１：意識コード記憶処理）。また、負傷コード記憶部２０９は、ＡＩＳ（Ａｂｂｒｅｖｉａｔｅｄ・Ｉｎｊｕｒｙ・Ｓｃａｌｅ）コードのリストをフラッシュメモリ９２０に記憶する（ステップＳ２０１：負傷コード記憶処理）。ＡＩＳコードは、負傷者の負傷部位ごとの症状をコード化した負傷コードの一例である。ＡＩＳコードは、以下のように６桁の整数と１桁の小数からなる数値コードとしてＡＩＳ−９０で規定されている（小数部分のみを指してＡＩＳコードという場合もあるが、ここでは６桁の整数部分も含めて全体をＡＩＳコードと呼ぶものとする）。
（１）（左から）１桁目：体の部位を表す（１＝頭部、２＝顔面、３＝頚部、４＝胸部、５＝腹部、６＝脊椎、７＝上肢、８＝下肢、９＝特になし）。
（２）２桁目：解剖学的構造の種類を表す（１＝全範囲、２＝血管、３＝神経、４＝臓器（筋肉、靱帯を含む）、５＝骨格（関節を含む）、６＝頭部）。
（３）３桁目及び４桁目：特別な解剖学的構造物あるいは創の性質を２桁で表す。
（４）５桁目及び６桁目：損傷の程度を２桁で表す。
（５）小数部分：重症度を表す（１＝Ｍｉｎｏｒ（軽症）、２＝Ｍｏｄｅｒａｔｅ（中等症）、３＝Ｓｅｒｉｏｕｓ（重篤；致死的ではない）、４＝Ｓｅｖｅｒｅ（重症；生命を脅かす）、５＝Ｃｒｉｔｉｃａｌ（臨界；生存は不確実）、６＝Ｍａｘｉｍｕｍ（最高；致死的））。
【００９４】
ＡＩＳコードは、例えば、「８５１１０４．３」（大腿骨顆部骨折）、「８５１８０８．３」（大腿骨頭骨折）、「８５１８１０．３」（大腿骨転子間骨折）、「８５１８１２．３」（大腿骨頚部骨折）、「８５１８１４．３」（大腿骨骨幹部骨折）、「８５１８１８．３」（大腿骨転子下骨折）、「８５１８２２．３」（大腿骨顆上部骨折）などとなる。
【００９５】
トリアージの実施者は、上記のようにＪＣＳコードのリストとＡＩＳコードのリストが予め記憶された携帯通信端末２００を各自で携帯する。そして、災害現場、救護所１０１、医療機関において、携帯通信端末２００を利用して負傷者全員に対しトリアージを実施する。このとき、トリアージの実施者は、実施の形態１と同様に、携帯通信端末２００のタッチパネル９０１へ出力される画面を操作して災害救護情報を入力する。
【００９６】
携帯通信端末２００の画面遷移の一例を図１２に示す。
【００９７】
携帯通信端末２００のタッチパネル９０１へ出力される画面には、実施の形態１で図６などに示したもののほか、以下に示すものがある。
（７）負傷部位入力画面８０７：負傷者の負傷部位を指定する画面である。
（８）負傷情報入力画面８０８：負傷部位の負傷に関する情報を入力する画面である。
（９）ＡＩＳ入力画面８０９：ＡＩＳコードを入力する画面である。
【００９８】
トリアージの実施者が携帯通信端末２００の電源を入れる（又は情報入力プログラムを起動する）と、携帯通信端末２００は、タッチパネル９０１へログイン画面８０１を出力する。携帯通信端末２００は、実施の形態１と同様に、トリアージの実施者によるパスワードの入力をタッチパネル９０１から受け付け、そのパスワードと予め設定された正規のパスワードとを比較してトリアージの実施者の認証を行う。認証が成功すると、携帯通信端末２００は、タッチパネル９０１へメニュー画面８０２を出力する。
【００９９】
実施の形態１と同様に、初期状態のメニュー画面８０２に表示されるメッセージに従って、トリアージの実施者が、負傷者に貼付されたＩＣタグ３０１に携帯通信端末２００を近づけると、携帯通信端末２００の識別子読取部２０２は、タグリーダ／ライタモジュール９０６を用いてＩＣタグ３０１と通信し、負傷者のＩＤをＩＣタグ３０１から読み取る。そして、識別子読取部２０２は、読み取った負傷者のＩＤをフラッシュメモリ９２０に記憶する（ステップＳ１０２：識別子読取処理）。その後、メニュー画面８０２にて、トリアージの実施者がトリアージ入力画面８０３に進むためのボタンをタップした場合、携帯通信端末２００は、タッチパネル９０１へトリアージ入力画面８０３を出力する。
【０１００】
トリアージ入力画面８０３の一例を図１３に示す。
【０１０１】
トリアージ入力画面８０３には、実施の形態１で図７に示したもののほか、負傷部位入力画面８０７に進むための「症状入力」ボタン８１０ｔが表示される。トリアージの実施者が、このボタン８１０ｔをタップした場合、携帯通信端末２００は、タッチパネル９０１へ負傷部位入力画面８０７を出力する。このとき、必須ではないが、トリアージの実施者は、既に負傷者の属性及び症状の選択とＪＣＳコードの入力を済ませているものとする。つまり、携帯通信端末２００は、既にステップＳ１０８までの処理を実行済であるものとする。
【０１０２】
負傷部位入力画面８０７の一例を図１４に示す。
【０１０３】
携帯通信端末２００の負傷部位指定部２１０は、人体図を負傷部位入力画面８０７へ出力して、トリアージの実施者に負傷者の負傷部位の指定を促す。この例では、負傷部位指定部２１０は、人体図として、正面と背面の２種類の人体図８１５ａ，ｂを並べて負傷部位入力画面８０７に表示し、それぞれの人体図８１５ａ，ｂのどの領域をタップすれば体のどこの部位（ＡＩＳコードの１桁目に相当）を指定できるかを文字や色で示す（図１５参照）。トリアージの実施者が任意の領域を指でタップすると、負傷部位指定部２１０は、その領域に「×」マークを表示する。トリアージの実施者が同じ領域をもう一度タップすると、負傷部位指定部２１０は、その領域に表示した「×」マークを消去する。また、トリアージの実施者が負傷部位入力画面８０７に設けられたスライダ８１６を操作すると、負傷部位指定部２１０は、人体図８１５ａ，ｂを拡大又は縮小して表示する（図１４では、一例として、人体図８１５ａの顔面の部分を拡大した人体図８１５ｃを示している）。この例では、３段階に拡大又は縮小することができるものとする。負傷部位指定部２１０は、人体図８１５ａ，ｂを拡大するごとに、人体図８１５ａ，ｂの領域の設定をより詳細なものにして表示する。つまり、人体図８１５ａ，ｂの拡大率に応じて、負傷部位を（ａ）大分類、（ｂ）中分類、（ｃ）小分類のいずれか適当な単位で示す（図１５参照）。負傷部位指定部２１０は、人体図８１５ａ，ｂのほかに、負傷部位をプルダウン形式で選択するための選択ボックス８１３ｃを負傷部位入力画面８０７に表示してもよい。
【０１０４】
携帯通信端末２００の負傷部位指定部２１０は、トリアージの実施者による負傷者の負傷部位の指定を負傷部位入力画面８０７から受け付け、指定に係る負傷部位を示す負傷部位データをフラッシュメモリ９２０に記憶する（ステップＳ２０２：負傷部位指定処理）。図１４、図１５に示した例では、負傷部位指定部２１０は、負傷部位の（ａ）大分類、（ｂ）中分類、（ｃ）小分類、いずれかを示す（例えば、トリアージの実施者が人体図８１５ａ，ｂで、どの領域を選択したかを、大分類、中分類の場合はＡＩＳコードの１桁目で表し、小分類の場合はＡＩＳコードの１桁目とともに別途規定した数値で表す）負傷部位データをフラッシュメモリ９２０に記憶する。
【０１０５】
負傷部位入力画面８０７には、負傷情報入力画面８０８に進むための「次へ」ボタン８１０ｕ、トリアージ入力画面８０３に戻るための「終了」ボタン８１０ｖも表示される。
【０１０６】
負傷部位入力画面８０７にて、トリアージの実施者が「次へ」ボタン８１０ｕをタップした場合、携帯通信端末２００は、タッチパネル９０１へ負傷情報入力画面８０８を出力する。
【０１０７】
負傷情報入力画面８０８の一例を図１６に示す。
【０１０８】
携帯通信端末２００の負傷選択部２１１は、負傷コード記憶部２０９により記憶された負傷コードのリストと負傷部位指定部２１０により記憶された負傷部位データとをフラッシュメモリ９２０から読み取る。そして、負傷選択部２１１は、負傷コードのリストに基づいて、読み取った負傷部位データが示す負傷部位の症状に係る選択肢を負傷情報入力画面８０８へ出力して、トリアージの実施者に負傷者の負傷部位の症状の選択を促す。この例では、負傷選択部２１１は、負傷部位の症状として、負傷の種類（ＡＩＳコードの３桁目及び４桁目に相当）を選択させるための７つの「負傷の種類」ボタン８１０ｗ、負傷部位の解剖学的構造（ＡＩＳコードの２桁目に相当）を選択させるためのプルダウン形式の選択ボックス８１３ｄ、ＡＩＳコードを選択させるための入力フィールド８１７を負傷情報入力画面８０８に表示する。トリアージの実施者が入力フィールド８１７をタップすると、負傷選択部２１１は、「負傷の種類」ボタン８１０ｗ及び選択ボックス８１３ｄにおける選択で絞り込まれたＡＩＳコードの候補の一覧をＡＩＳ入力画面８０９に表示する。
【０１０９】
ＡＩＳ入力画面８０９の一例を図１７に示す。
【０１１０】
携帯通信端末２００の負傷選択部２１１は、ＡＩＳコードの候補の一覧として、前述したように負傷情報入力画面８０８で「負傷の種類」ボタン８１０ｗ及び選択ボックス８１３ｄにおける選択で絞り込まれた範囲のＡＩＳコードのテキスト８１８ａを、各ＡＩＳコードの説明とともにＡＩＳ入力画面８０９に表示する。トリアージの実施者は任意のテキスト８１８ａをタップすることでＡＩＳコードを選択することができる。
【０１１１】
ＡＩＳ入力画面８０９には、ＡＩＳコードの選択を確定して負傷情報入力画面８０８に戻るための「入力」ボタン８１０ｘ、ＡＩＳコードの選択をキャンセルして負傷情報入力画面８０８に戻るための「戻る」ボタン８１０ｙが表示される。また、ＡＩＳ入力画面８０９には、コメントがあることを示すテキスト８１８ｂが表示される。トリアージの実施者はテキスト８１８ｂをタップすることで該当するＡＩＳコードについてのコメントを参照できる。
【０１１２】
ＡＩＳ入力画面８０９にて、トリアージの実施者が「入力」ボタン８１０ｘをタップした場合、携帯通信端末２００は、タッチパネル９０１へ負傷情報入力画面８０８を出力する。このとき、負傷情報入力画面８０８の「ＡＩＳコード」フィールドには、ＡＩＳ入力画面８０９で選択されたＡＩＳコードが表示される。
【０１１３】
携帯通信端末２００の負傷選択部２１１は、トリアージの実施者による負傷者の負傷部位の症状の選択を負傷情報入力画面８０８から受け付け、選択に係る負傷部位の症状と負傷部位指定部２１０により記憶された負傷部位データが示す負傷部位との組み合わせに対応するＡＩＳコードをフラッシュメモリ９２０に記憶する（ステップＳ２０３：負傷選択処理）。図１６、図１７に示した例では、負傷選択部２１１は、トリアージの実施者がＡＩＳコードのテキスト８１８ａとともに表示される説明を参照して選択したテキスト８１８ａに対応するＡＩＳコードを記憶する。
【０１１４】
負傷情報入力画面８０８には、ＡＩＳコードの選択を最終的に確定して新たな負傷部位入力画面８０７に進むための「次へ」ボタン８１０ｚが表示される。トリアージの実施者が、このボタン８１０ｚをタップした場合、携帯通信端末２００は、タッチパネル９０１へ負傷部位入力画面８０７を出力する。これにより、トリアージの実施者は、負傷者の負傷部位の症状を複数入力することができる。
【０１１５】
負傷部位入力画面８０７にて、トリアージの実施者が「終了」ボタン８１０ｖをタップした場合、携帯通信端末２００は、タッチパネル９０１へトリアージ入力画面８０３を出力する。
【０１１６】
トリアージ入力画面８０３にて、トリアージの実施者が「確認」ボタン８１０ｉをタップした場合、携帯通信端末２００は、タッチパネル９０１へトリアージ確認画面８０５を出力する。
【０１１７】
トリアージ確認画面８０５の一例を図１８に示す。
【０１１８】
携帯通信端末２００のトリアージ区分出力部２０６は、負傷選択部２１１により記憶されたＡＩＳコードをフラッシュメモリ９２０から読み取る。このとき、災害救護情報の一部を構成するＡＩＳコードは、該当する負傷者のＩＤに対応付けてフラッシュメモリ９２０に記憶されているため、トリアージ区分出力部２０６は、ＡＩＳコードを、負傷者のＩＤをキーとしてフラッシュメモリ９２０から抽出する。そして、トリアージ区分出力部２０６は、実施の形態１で図９に示したものとともに、読み取ったＡＩＳコードをトリアージ確認画面８０５へ出力する（ステップＳ２０４：トリアージ区分出力処理）。
【０１１９】
トリアージ確認画面８０５には、実施の形態１と同様に、トリアージ入力画面８０３などで入力された災害救護情報を災害医療救護本部１０２に送信したり、ＩＣタグ３０１に書き込んだりするための「記録・送信」ボタン８１０ｒ、トリアージ入力画面８０３に戻るための「戻る」ボタン８１０ｓも表示される。
【０１２０】
トリアージ確認画面８０５にて、トリアージの実施者が「記録・送信」ボタン８１０ｒをタップした場合、携帯通信端末２００のデータ登録部２０８は、実施の形態１と同様に、通信モジュール９０５を用いて、救護データベース５０１と衛星４００を介して通信し、識別子読取部２０２により記憶された負傷者のＩＤと同じ負傷者に係る災害救護情報のデータとを対応付けて救護データベース５０１に登録する（ステップＳ１０９：データ登録処理）。また、データ登録部２０８は、タグリーダ／ライタモジュール９０６を用いてＩＣタグ３０１と通信し、災害救護情報のデータをＩＣタグ３０１に書き込む。このとき、ＩＣタグ３０１に災害救護情報のデータが既に記録されていた場合、データ登録部２０８は、そのデータを新しいデータで更新する。前述したように、災害救護情報のデータは、トリアージ区分決定部２０５により記憶された区分データ、意識レベル選択部２０７により記憶されたＪＣＳコード、負傷選択部２１１により記憶されたＡＩＳコードなどを含むものである。
【０１２１】
以上のように、本実施の形態では、携帯通信端末２００の負傷選択部２１１が、トリアージの実施者による負傷者の負傷部位の症状の選択を負傷情報入力画面８０８から受け付け、選択に係る負傷部位の症状と負傷部位指定部２１０により記憶された負傷部位データが示す負傷部位との組み合わせに対応するＡＩＳコードを記憶することにより、負傷者の治療担当部門などに負傷者の症状について正確な情報の伝達が可能となる。また、事後に必要となる災害などの分析評価において、統計的な集計処理が容易になる。
【０１２２】
また、本実施の形態では、携帯通信端末２００の負傷部位指定部２１０が、人体図を負傷部位入力画面８０７へ出力して、トリアージの実施者に負傷者の負傷部位の指定を促すことにより、トリアージの実施者が直感的に負傷部位を指定することが可能となるため、災害救護情報の入力作業を効率化できる。
【０１２３】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【図面の簡単な説明】
【０１２４】
【図１】実施の形態１に係る災害救護支援システムの構成を示す概念図である。
【図２】実施の形態１に係るトリアージタッグの一例を示す図である。
【図３】実施の形態１に係る情報入力端末装置の構成を示すブロック図である。
【図４】実施の形態１に係る情報入力端末装置のハードウェア資源の一例を示す図である。
【図５】実施の形態１に係る情報入力方法を示すフローチャートである。
【図６】実施の形態１に係る情報入力端末装置の画面遷移の一例を示す図である。
【図７】実施の形態１に係る情報入力端末装置の画面の一例を示す図である。
【図８】実施の形態１に係る情報入力端末装置の画面の一例を示す図である。
【図９】実施の形態１に係る情報入力端末装置の画面の一例を示す図である。
【図１０】実施の形態２に係る情報入力端末装置の構成を示すブロック図である。
【図１１】実施の形態２に係る情報入力方法を示すフローチャートである。
【図１２】実施の形態２に係る情報入力端末装置の画面遷移の一例を示す図である。
【図１３】実施の形態２に係る情報入力端末装置の画面の一例を示す図である。
【図１４】実施の形態２に係る情報入力端末装置の画面の一例を示す図である。
【図１５】実施の形態２に係る情報入力端末装置の画面の一例を示す図である。
【図１６】実施の形態２に係る情報入力端末装置の画面の一例を示す図である。
【図１７】実施の形態２に係る情報入力端末装置の画面の一例を示す図である。
【図１８】実施の形態２に係る情報入力端末装置の画面の一例を示す図である。
【符号の説明】
【０１２５】
１００  災害救護支援システム、１０１  救護所、１０２  災害医療救護本部、１０３  救急車、１０４  救急ヘリ、１０５  近隣災害拠点病院、１０６  遠隔災害拠点病院、２００  携帯通信端末、２０１  意識コード記憶部、２０２  識別子読取部、２０３  属性選択部、２０４  症状選択部、２０５  トリアージ区分決定部、２０６  トリアージ区分出力部、２０７  意識レベル選択部、２０８  データ登録部、２０９  負傷コード記憶部、２１０  負傷部位指定部、２１１  負傷選択部、２５１  記憶装置、２５２  処理装置、２５３  入力装置、２５４  表示装置、３００  トリアージタッグ、３０１  ＩＣタグ、４００  衛星、５００  災害医療救護本部用サーバ、５０１  救護データベース、６００  ポータブル端末、７００  衛星通信設備、８０１  ログイン画面、８０２  メニュー画面、８０３  トリアージ入力画面、８０４  ＪＣＳ入力画面、８０５  トリアージ確認画面、８０６  終了画面、８０７  負傷部位入力画面、８０８  負傷情報入力画面、８０９  ＡＩＳ入力画面、８１０ａ〜ｚ  ボタン、８１１  色、８１２  記号、８１３ａ〜ｄ  選択ボックス、８１４  表示フィールド、８１５ａ〜ｃ  人体図、８１６  スライダ、８１７  入力フィールド、８１８ａ，ｂ  テキスト、９０１  タッチパネル、９０２  マイク、９０３  スピーカ、９０４  メモリカードスロット、９０５  通信モジュール、９０６  タグリーダ／ライタモジュール、９１１  ＣＰＵ、９１２  バス、９１３  ＲＯＭ、９１４  ＲＡＭ、９２０  フラッシュメモリ、９２１  オペレーティングシステム、９２２  ウィンドウシステム、９２３  プログラム群、９２４  ファイル群。
【図１】
2008279032.tif 000003
【図２】
2008279032.tif 000004
【図３】
2008279032.tif 000005
【図４】
2008279032.tif 000006
【図５】
2008279032.tif 000007
【図６】
2008279032.tif 000008
【図７】
2008279032.tif 000009
【図８】
2008279032.tif 000010
【図９】
2008279032.tif 000011
【図１０】
2008279032.tif 000012
【図１１】
2008279032.tif 000013
【図１２】
2008279032.tif 000014
【図１３】
2008279032.tif 000015
【図１４】
2008279032.tif 000016
【図１５】
2008279032.tif 000017
【図１６】
2008279032.tif 000018
【図１７】
2008279032.tif 000019
【図１８】
2008279032.tif 000020